(57)【要約】【課題】  レンズを用いた光デバイスにおいて、この光デバイスが取り付けられる際のハンダ付の熱による光デバイスの変形が生じにくく、光デバイスの基板に実装されている部品が剥れるのを防止することができる光デバイスを提供する。【解決手段】  発光面１ａを上に向けた発光素子１と受光面２ａを上に向けた受光素子２とを制御素子３と共に基板４の上面４ａに配設、埋設してモールド層部５を形成し、発光素子１の上方に発光レンズ６を、又、受光素子２の上方に発光レンズ６と略同じ厚さの受光レンズ７をそれぞれ位置するように、且つ、発光レンズ６及び受光レンズ７をモールド層部５から突出するように該モールド層部５と一体で形成すると共に、制御素子３が埋設される部分のモールド層部５の上に、発光レンズ６及び受光レンズ７と略同じ厚さのモールド上層部９をモールド層部５と一体で形成して光デバイス１０を構成する。【選択図】図１
2006228884.tif 000002
【特許請求の範囲】
【請求項１】
発光面を上に向けた発光素子と、受光面を上に向けた受光素子とが、制御素子と共に基板の上面に配設されると共に、埋設されてモールド層部が形成され、
前記発光素子の発光面の上方に発光レンズが、又、前記受光素子の受光面の上方に前記発光レンズと略同じ厚さの受光レンズが、それぞれ位置するように、且つ、前記発光レンズ、及び、前記受光レンズが、前記モールド層部から突出するように、該モールド層部と一体で形成されていると共に、
前記制御素子が埋設される部分の前記モールド層部の上に、前記発光レンズ及び前記受光レンズと略同じ厚さのモールド上層部が、前記モールド層部と一体で形成されていることを特徴とする光デバイス。
【請求項２】
前記発光レンズ及び前記受光レンズは、ドーム型レンズである請求項１記載の光デバイス。
【請求項３】
前記発光素子、前記受光素子、及び、前記制御素子は、前記基板の上面に１列に配設されている請求項１又は２記載の光デバイス。
【請求項４】
前記発光素子と前記受光素子とは、隣接して配設されている請求項１〜３のいずれか１項に記載の光デバイス。
【請求項５】
請求項１〜４のいずれか１項に記載の光デバイスが搭載された電子機器。
【発明の詳細な説明】
【技術分野】
【０００１】
本発明は、パソコン、携帯電話、家庭用電気製品のリモコン等に搭載されて、赤外線通信を行うのに用いられる光デバイスに関するものである。
【背景技術】
【０００２】
赤外線を用いる赤外線通信は、パソコンや携帯電話における近距離通信や家庭用電気製品のリモコン等に広く用いられている。この赤外線通信に用いられる光デバイスは、一般に、発光素子、受光素子及び制御素子を基板に搭載して構成されている。これらの光デバイスでは、発光素子や受光素子を効率よく使用するために、一般に、ドーム型レンズが使用される。
【０００３】
このドーム型レンズを光デバイスに組み入れる方法としては、光デバイスに搭載する発光素子等にドーム型レンズを形成する方法（例えば、特許文献１参照）や、発光素子を基板に搭載してモールドする際に、同時に同じモールド材でレンズを一体に成型する方法がある。
【０００４】
図３は、発光素子をモールドする際に、同時に同じモールド材でレンズを一体に成型する上記の方法で製作された従来例の光デバイス３０の例を示したもので、図３（ａ）はその平面図、図３（ｂ）は側面図、そして、図３（ｃ）は図３（ａ）のＣ−Ｃ断面図である。この従来例の光デバイス３０では、発光素子であるＬＥＤ（発光ダイオード）チップ１の発光面１ａを上に向けると共に、受光素子であるＰＤ（フォトダイオード）チップ２の受光面２ａを上に向けて、制御素子であるＩＣチップ３と共に基板４の上面に１列に配設している。この配設は、通常、ＬＥＤチップ１とＰＤチップ２の間に、ＩＣチップ３を挟んだ配列で行われる。
【０００５】
そして、配列されたこれらのチップ１，３，２を、透明な樹脂でモールドすることにより、モールド層部５を形成している。このモールド層部５を形成する際に、同時に、ドーム型の発光レンズ６及びこの発光レンズ６と同じ厚さのドーム型の受光レンズ７を、モールド層部５と一体で成型する。即ち、これらのレンズ６，７が、共に、モールド層部５から上方に突出するように、且つ、発光レンズ６がＬＥＤチップ１の発光面１ａの上方に位置し、受光レンズ７がＰＤチップ２の受光面２ａの上方に位置するようにして、これらのレンズ６，７をモールド層部５と一体で成型している。従って、この光デバイス３０では、図３（ａ）に示すように、左右のドーム型レンズ６，７が形成されている部分の基板４の上面４ａからレンズ６，７の頂点６ａ，７ａまでの厚さは、ＩＣチップ３が埋設されている部分のモールド層部５の厚さよりも厚く形成されている。尚、図３において、８は、ＬＥＤチップ１やＰＤチップ２をＩＣチップ３と接続するための接続線である。
【０００６】
この従来例の光デバイス３０は、上述したように、家庭用電気製品のリモコン等に搭載されて使用される。この搭載に際して、上記の光デバイス３０は、基板４の下面４ｂを下に向けて、このリモコン等の本体基板の表面に載置してハンダ付される。或いは、発光レンズ６及び受光レンズ７が横に向くように、基板４の下面４ｂが本体基板に対して垂直になるように本体基板の表面に載置してハンダ付される。
【特許文献１】特開平０８−３２１０８号公報
【発明の開示】
【発明が解決しようとする課題】
【０００７】
ところで、上記の従来例の光デバイス３０では、上述したように、左右のドーム型レンズ６，７が形成されている部分の基板４の上面４ａからレンズ６，７の頂点６ａ，７ａまでの厚さが、ＩＣチップ３の埋設されている部分のモールド層部５の厚さよりも厚く形成されている。このような光デバイス３０の基板４を、上述したように、リモコン等の本体基板の表面にハンダ付すると、一体で成型されているモールド層部５及びレンズ６，７の部分が、このハンダ付の熱で膨張する。
【０００８】
この際に、上述したようにレンズ６，７の部分の方が、ＩＣチップ３の埋設されている部分のモールド層部５よりも厚いので、レンズ６，７の部分の方が、ＩＣチップ３の埋設されている部分よりも熱膨張による変形が生じにくく、厚さの薄いＩＣチップ３の埋設されている部分の方が、変形が生じやすい。そこで、この厚さの薄いＩＣチップ３の埋設されている部分のモールド層部５が、上方に凸状に反って変形し、これに伴って、基板４も上方に凸状に反って変形するので、光デバイス３０が、図４（ａ）に示すような状態から図４（ｂ）に示すような状態に変形する。そのため、基板４に実装されているＬＥＤチップ１やＰＤチップ２、ＩＣチップ３が、基板４から剥れるという問題があった。
【０００９】
そこで、この発明は、上記のような問題を解決するためになされたものであって、レンズを用いた光デバイスにおいて、この光デバイスが取り付けられる際のハンダ付の熱による光デバイスの変形が生じにくく、光デバイスの基板に実装されている部品が剥れるのを防止することができる光デバイスを提供しようとするものである。
【課題を解決するための手段】
【００１０】
本発明の光デバイスは、発光面を上に向けた発光素子と、受光面を上に向けた受光素子とが、制御素子と共に基板の上面に配設されると共に、埋設されてモールド層部が形成されている。そして、発光素子の発光面の上方に発光レンズが、又、受光素子の受光面の上方に発光レンズと略同じ厚さの受光レンズが、それぞれ位置するように、且つ、発光レンズ、及び、受光レンズが、モールド層部から突出するように、該モールド層部と一体でこれらのレンズが形成されている。そして、更に、制御素子が埋設されている部分のモールド層部の上に、発光レンズ及び受光レンズと略同じ厚さのモールド上層部が、モールド層部と一体で形成されていることを特徴としている。
【００１１】
上記の本発明の光デバイスは、モールド層部の上に、発光レンズ及び受光レンズが形成されていると共に、制御素子が埋設されている部分のモールド層部の上に、モールド上層部が形成されている。このモールド上層部の厚さは、発光レンズ及び受光レンズの厚さと略同じであるので、基板の上面から発光レンズ及び受光レンズの頂点までの厚さと、制御素子が埋設されている部分の基板の上面からモールド上層部の上面までの厚さとが略同じとなる。従って、光デバイスが取り付けられる際のハンダ付の熱による、制御素子の埋設部分におけるモールド層部の反りは生じにくくなり、これに伴って基板の反りも生じにくくなるので、光デバイスの基板に実装されている部品が剥れるのを防止することができる。
【００１２】
上記の本発明の光デバイスにおいて、発光レンズ及び受光レンズは、ドーム型レンズとするのが好ましい。ドーム型レンズとは、レンズの形状が半球形状等のドーム状であるレンズをいう。このようにすることにより、発光レンズ及び受光レンズの底面を広くすることができ、これらのレンズのモールド層部との一体形成を容易化することができる。
【００１３】
又、上記の本発明の光デバイスにおいて、発光素子、受光素子、及び、制御素子を、基板の上面に１列に配設するようにしてもよい。このようにすることにより、基板の幅を狭くすることができ、光デバイスを、例えば、家庭用電気製品のリモコン等へ容易に搭載することができる場合がある。
【００１４】
又、上記の本発明の光デバイスにおいて、発光素子と受光素子とを、隣接して配設するようにしてもよい。このようにすることにより、この光デバイスを、例えば、家庭用電気製品のリモコン等に搭載した場合、発光素子が発光する光の通過領域と、受光素子が受光する光の通過領域とを接近させることができる。そのため、家庭用電気製品のリモコン等のケースに備えられる、これらの発光素子が発光する光や受光素子が受光する光を通過させるための窓を、発光素子と受光素子とを隣接させない場合に比べて、小さくすることができる。従って、家庭用電気製品のリモコン等や、これらのリモコン等を用いる家庭用電気製品に対する設計上の制約を、小さくすることができる。
【００１５】
上記の本発明の光デバイスは、上述したような家庭用電気製品のリモコン等や、パソコン、携帯電話等の電子機器に搭載することができる。このような上記の本発明の光デバイスが搭載された電子機器は、上述した作用、効果を備えている。
【発明の効果】
【００１６】
本発明によれば、光デバイスにおいて、モールド層部の上に、発光レンズ及び受光レンズが形成されていると共に、制御素子が埋設されている部分のモールド層部の上に、モールド上層部が形成されており、このモールド上層部の厚さと発光レンズ及び受光レンズの厚さとが略同じである。そのため、基板の上面から発光レンズ及び受光レンズの頂点までの厚さと、制御素子が埋設されている部分の基板の上面からモールド上層部の上面までの厚さとが略同じとなる。従って、光デバイスが取り付けられる際のハンダ付の熱による、制御素子の埋設されている部分の反りは生じにくくなり、これに伴って基板のそりも生じにくくなるので、光デバイスの基板に実装されている部品が剥れるのを防止することができる。
【００１７】
又、光デバイスの発光素子と受光素子を、隣接して配設することができる。このように各素子が配設された光デバイスでは、例えば、家庭用電気製品のリモコン等に搭載した場合、発光素子が発光する光の通過領域と、受光素子が受光する光の通過領域とを接近させることができる。従って、家庭用電気製品のリモコン等のケースに備えられる、これらの発光素子が発光する光や受光素子が受光する光を通過させるための窓を、発光素子と受光素子とを隣接させない場合に比べて、小さくすることができ、家庭用電気製品のリモコン等や、これらのリモコン等を用いる家庭用電気製品等に対する設計上の制約を小さくすることができる。
【発明を実施するための最良の形態】
【００１８】
以下、本実施の形態における光デバイスについて、図面を参照しながら詳しく説明する。
【００１９】
＜実施の形態１＞
図１は、実施の形態１における光デバイス１０を示したものであり、図１（ａ）はその平面図、図１（ｂ）は側面図、そして、図１（ｃ）は図１（ａ）のＡ−Ａ断面図である。この光デバイス１０では、前述した従来例の光デバイス３０と同様、発光素子であるＬＥＤ（発光ダイオード）チップ１の発光面１ａを上に向けると共に、受光素子であるＰＤ（フォトダイオード）チップ２の受光面２ａを上に向けて、制御素子であるＩＣチップ３と共に基板４の上面に１列に配設し、接続線８により、ＬＥＤチップ１やＰＤチップ２とＩＣチップ３とを接続している。上記の配設は、ＬＥＤチップ１とＰＤチップ２の間に、ＩＣチップ３を挟んだ配列で行われる。
【００２０】
そして、配列されたこれらのチップ１，３，２を、透明なエポキシ樹脂等でモールドすることにより、モールド層部５を形成している。このモールド層部５を形成する際に、同時に、ドーム型の発光レンズ６及びこの発光レンズ６と略同じ厚さのドーム型の受光レンズ７を、モールド層部５と一体で成型する。即ち、これらのレンズ６，７が、共に、モールド層部５から上方に突出するように、且つ、発光レンズ６がＬＥＤチップ１の発光面１ａの上方に位置し、受光レンズ７がＰＤチップ２の受光面２ａの上方に位置するようにして、モールド層部５と一体でこれらのレンズ６，７を成型している。
【００２１】
そして、更に、ＩＣチップ３が埋設される部分のモールド層部５の上に、発光レンズ６及び受光レンズ７と略同じ厚さのモールド上層部９を、モールド層部５と一体で成型している。一般に、上記のレンズ６，７、モールド層部５、及び、モールド上層部９の一体成型には、量産に適したトランスファーモールドが用いられる。
【００２２】
上記のように構成されている光デバイス１０は、上述した従来例の光デバイス３０と同様、基板４の下面４ｂを下に向けて、例えば、家庭用電気製品等に用いられるリモコン等の本体基板の表面に載置してハンダ付され、リモコン等の一部として使用される。
【００２３】
上記の実施の形態１における光デバイス１０は、モールド層部５の上に、発光レンズ６及び受光レンズ７が形成されていると共に、ＩＣチップ３が埋設されている部分のモールド層部５の上に、モールド上層部９が形成されている。このモールド上層部９の厚さは、発光レンズ６及び受光レンズ７の厚さと略同じであるので、基板４の上面４ａから発光レンズ６及び受光レンズ７の頂点６ａ，７ａまでの厚さと、ＩＣチップ３が埋設されている部分の基板４の上面４ａからモールド上層部９の上面９ａまでの厚さとが略同じとなる。従って、光デバイス１０が取り付けられる際のハンダ付の熱による、ＩＣチップ３の埋設部分におけるモールド層部の反りは生じにくくなり、これに伴って基板４の反りも生じにくくなるので、光デバイス１０の基板４に実装されている部品１，３，２が剥れるのを防止することができる。
【００２４】
又、上記の光デバイス１０では、発光レンズ６及び受光レンズ７は、ドーム型レンズとしているので、これらのレンズ６，７の底面を広くすることができ、モールド層部５との一体成型を容易化することができる。
【００２５】
又、上記の光デバイス１０では、ＬＥＤチップ１、ＰＤチップ２、及び、ＩＣチップ３を、基板４の上面に１列に配設しているので、基板４の幅を狭くすることができ、上記の光デバイス１０を、例えば、家庭用電気製品のリモコン等へ容易に搭載することができる場合がある。
【００２６】
＜実施の形態２＞
図２は、実施の形態２における光デバイス２０を示したものであり、図２（ａ）はその平面図、図２（ｂ）は側面図、そして、図２（ｃ）は図２（ａ）のＢ−Ｂ断面図である。この実施の形態２における光デバイス２０は、実施の形態１における光デバイス１０とほとんど同じであり、実施の形態１における光デバイス１０と異なるのは、ＬＥＤチップ１とＰＤチップ２との配設位置の関係、及び、発光レンズ６と受光レンズ７との設置位置の関係のみである。
【００２７】
即ち、実施の形態２における光デバイス２０は、図２（ａ）、図２（ｂ）に示すように、ＬＥＤチップ１とＰＤチップ２とが、隣接して配設され、この点が実施の形態１と異なっている。又、このＬＥＤチップ１とＰＤチップ２の配設位置の変更に対応して、これらのＬＥＤチップ１及びＰＤチップ２用の発光レンズ６及び受光レンズ７の設置位置も、実施の形態１と異なり、発光レンズ６と受光レンズ７とは隣接して設けられている。
【００２８】
この点、光デバイスを用いた赤外線通信では、一般に、半２重通信方式が採用されているので、送信と受信は同時には行われない。従って、ＬＥＤチップ１とＰＤチップ２とが隣接して配設されていても、動作上の支障が生じる余地はほとんどないといえる。
【００２９】
上記の実施の形態２における光デバイス２０は、この光デバイス２０を、例えば、家庭用電気製品のリモコン等に搭載した場合、ＬＥＤチップ１が発光する光の通過領域と、ＰＤチップ２が受光する光の通過領域とを接近させることができる。そのため、家庭用電気製品のリモコン等のケースに備えられる、これらのＬＥＤチップ１が発光する光やＰＤチップ２が受光する光を通過させるための窓を、ＬＥＤチップ１とＰＤチップ２とを隣接させない場合に比べて、小さくすることができる。従って、家庭用電気製品のリモコン等や、これらのリモコン等を用いる家庭用電気製品に対する設計上の制約を、小さくすることができる。
【００３０】
上記の各実施の形態では、ＬＥＤチップ１、ＰＤチップ２、及び、ＩＣチップ３を、基板４の上面に１列に配設しているが、ＬＥＤチップ１、ＰＤチップ２、及び、ＩＣチップ３の配設としては、このような配列形状には限られない。
【００３１】
又、上記の各実施の形態では、発光素子としてＬＥＤチップを用い、受光素子としてＰＤチップを用いているが、これには限られず、発光素子としては、半導体レーザ素子等のような光の発光が可能な素子であればいかなる素子を用いてもよく、又、受光素子としても、ＰＤチップ以外の光の受光が可能な素子を用いることができる。
【図面の簡単な説明】
【００３２】
【図１】実施の形態１における光デバイスの、（ａ）は平面図、（ｂ）は側面図、そして、（ｃ）は（ａ）のＡ−Ａ断面図である。
【図２】実施の形態２における光デバイスの、（ａ）は平面図、（ｂ）は側面図、そして、（ｃ）は（ａ）のＢ−Ｂ断面図である。
【図３】従来例の光デバイスの、（ａ）は平面図、（ｂ）は側面図、そして、（ｃ）は（ａ）のＣ−Ｃ断面図である。
【図４】従来例の光デバイスをリモコン等の本体基板にハンダ付する際の、（ａ）はハンダ付する前の状態を示した断面図、（ｂ）はハンダ付した後の状態を示した断面図である。
【符号の説明】
【００３３】
１  ＬＥＤチップ
１ａ  発光面
２  ＰＤチップ
２ａ  受光面
３  ＩＣチップ
４  基板
４ａ  上面
４ｂ  下面
５  モールド層部
６  発光レンズ
６ａ  頂点
７  受光レンズ
７ａ  頂点
８  接続線
９  モールド上層部
９ａ  表面
１０  光デバイス
２０  光デバイス
３０  光デバイス
【図１】
2006228884.tif 000003
【図２】
2006228884.tif 000004
【図３】
2006228884.tif 000005
【図４】
2006228884.tif 000006